(57)【要約】【課題】片面印刷のみが可能な印刷装置を使用して、印刷完了後に折り曲げて表裏の両面に画像を配置できる印刷用紙に印刷する際のユーザによる印刷設定操作を簡単にする印刷技術の実現。【解決手段】用紙の片面のみに印刷が行える印刷装置であって、ユーザによる操作を受け付ける操作手段と、前記操作手段により操作可能な印刷設定画面を表示する表示手段と、印刷される用紙が、印刷完了後に印刷面が用紙の表裏の両面に配置されるように折り曲げられる折り曲げ印刷用紙であるか判別する判別手段と、前記操作手段及び表示手段により設定された印刷設定情報と、前記判別手段による判別結果とに基づいて印刷データを生成する画像処理手段と、前記印刷データに従って前記用紙に印刷処理を施す制御手段と、を備える。【選択図】図１
2009220307.tif 000002
【特許請求の範囲】
【請求項１】
用紙の片面のみに印刷が行える印刷装置であって、
ユーザによる操作を受け付ける操作手段と、
前記操作手段により操作可能な印刷設定画面を表示する表示手段と、
印刷される用紙が、印刷完了後に印刷面が用紙の表裏の両面に配置されるように折り曲げられる折り曲げ印刷用紙であるか判別する判別手段と、
前記操作手段および表示手段により設定された印刷設定情報と、前記判別手段による判別結果とに基づいて印刷データを生成する画像処理手段と、
前記印刷データに従って前記用紙に印刷処理を施す制御手段と、を備えることを特徴とする印刷装置。
【請求項２】
前記画像処理手段は、前記判別手段による判別の結果、折り曲げ印刷用紙である場合に、表面と裏面の印刷データが前記折り曲げ印刷用紙の折り曲げ線を基準として上下反転した印刷データを生成することを特徴とする請求項１に記載の印刷装置。
【請求項３】
前記折り曲げ印刷用紙は、はがき又は封筒であることを特徴とする請求項１に記載の印刷装置。
【請求項４】
前記印刷装置は、複数色のインクおよび保護層を形成するインクを順次印刷用紙に転写させることにより印刷処理を行う印刷装置であって、前記制御手段は切手が貼られる領域には前記保護層を形成するインクを転写させないことを特徴とする請求項３に記載の印刷装置。
【請求項５】
前記印刷装置は、複数色のインクおよび保護層を形成するインクを順次印刷用紙に転写させることにより印刷処理を行う印刷装置であって、さらに、前記保護層を形成するインクを転写させない領域を選択する選択手段を有し、
前記制御手段は、前記選択手段により選択された領域には前記保護層を形成するインクを転写させないことを特徴とする請求項３に記載の印刷装置。
【請求項６】
ユーザによる操作を受け付ける操作手段と、
前記操作手段により操作可能な印刷設定画面を表示する表示手段と、を備え、用紙の片面のみに印刷が行える印刷装置の制御方法であって、
印刷される用紙が、印刷完了後に印刷面が用紙の表裏の両面に配置されるように折り曲げられる折り曲げ印刷用紙であるか判別する判別工程と、
前記操作手段および表示手段により設定された印刷設定情報と、前記判別工程での判別結果とに基づいて印刷データを生成する画像処理工程と、
前記印刷データに従って前記用紙に印刷処理を施す制御工程と、を有することを特徴とする制御方法。
【発明の詳細な説明】
【技術分野】
【０００１】
片面印刷のみが可能な印刷装置を使用して、印刷完了後に折り曲げて表裏の両面に画像を配置できる印刷用紙に印刷する際のユーザによる印刷設定操作を簡単にする印刷技術に関するものである。
【背景技術】
【０００２】
特許文献１には、印刷用紙の両面に印刷可能な印刷装置が記載されている。この印刷装置には、印刷用紙の印刷済みの面と非印刷面とを装置内で入れ替えるための機構が搭載されているため、装置が複雑化してしまう。
【０００３】
また、特許文献２，３には、両面印刷用の機構を持たない印刷装置において、印刷用紙の表裏の両面に印刷面を配置した印刷物を得るためのはがきや封筒用の印刷用紙が記載されている。この印刷用紙に、印刷用紙の片面に表用と裏用の両方の印刷を行い、印刷完了後に折り曲げて未印刷面同士を貼り付けることで、結果的に両面印刷と同等の印刷物が得られる。
【特許文献１】特開平０５−１３８９６５号公報
【特許文献２】特開平０９−１４２０６５号公報
【特許文献３】特開平１１−１５４９７２号公報
【発明の開示】
【発明が解決しようとする課題】
【０００４】
上記特許文献１では、両面印刷を行うために、印刷用紙を印刷面又は非印刷面に反転させる反転ローラ等の機構が必要であり、印刷装置の構造が複雑化する場合がある。
【０００５】
また、特許文献２，３のように、片面印刷しかできない印刷装置であっても、印刷完了後に印刷用紙の印刷面が山側になるように折り曲げて未印刷面同士を貼り付けることで、表裏の両面に印刷面を配置し、結果的に両面印刷と同等の印刷物を得ることもできる。
【０００６】
しかしながら、上述のように印刷用紙を折り曲げて表裏の両面に印刷面を配置する場合には、ユーザが印刷する画像を加工する必要がある。即ち、印刷用紙を折り曲げた後に表面の画像と裏面の画像が適切な方向に配置されるように、両画像の印刷方向を設定する必要がある。
【０００７】
本発明は、上記課題に鑑みてなされ、片面印刷のみが可能な印刷装置を使用して、印刷完了後に折り曲げて表裏の両面に画像を配置できる印刷用紙に印刷する際のユーザによる印刷設定操作を簡単にする印刷技術を実現する。
【課題を解決するための手段】
【０００８】
上記課題を解決するために、本発明の印刷装置は、用紙の片面のみに印刷が行える印刷装置であって、ユーザによる操作を受け付ける操作手段と、前記操作手段により操作可能な印刷設定画面を表示する表示手段と、印刷される用紙が、印刷完了後に印刷面が用紙の表裏の両面に配置されるように折り曲げられる折り曲げ印刷用紙であるか判別する判別手段と、前記操作手段および表示手段により設定された印刷設定情報と、前記判別手段による判別結果とに基づいて印刷データを生成する画像処理手段と、前記印刷データに従って前記用紙に印刷処理を施す制御手段と、を備える。
【０００９】
また、本発明の印刷装置の制御方法は、ユーザによる操作を受け付ける操作手段と、前記操作手段により操作可能な印刷設定画面を表示する表示手段と、を備え、用紙の片面のみに印刷が行える印刷装置の制御方法であって、印刷される用紙が、印刷完了後に印刷面が用紙の表裏の両面に配置されるように折り曲げられる折り曲げ印刷用紙であるか判別する判別工程と、前記操作手段および表示手段により設定された印刷設定情報と、前記判別工程での判別結果とに基づいて印刷データを生成する画像処理工程と、
前記印刷データに従って前記用紙に印刷処理を施す制御工程と、を有する。
【発明の効果】
【００１０】
本発明によれば、片面印刷のみが可能な印刷装置を使用して、印刷完了後に折り曲げて表裏の両面に画像を配置できる印刷用紙に印刷する際のユーザによる印刷設定操作を簡単にする。
【発明を実施するための最良の形態】
【００１１】
以下に、添付図面を参照して本発明を実施するための最良の形態について詳細に説明する。
【００１２】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１３】
［第１の実施形態］
図１は、本発明に係る実施形態の印刷装置の構成を示すブロック図である。
【００１４】
図１において、本実施形態の印刷装置は、昇華型プリンタであり、インクシートに塗布された複数色のインク（イエロー、マゼンダ、シアン）及び保護層を形成するためのオーバーコートを一色ずつ順次印刷用紙に転写することにより印刷を行う。本実施形態の印刷装置では印刷用紙の片面のみに印刷が行える。１０１はＣＰＵ等を搭載する制御部であり、印刷装置１００全体の動作を所定の制御プログラムに従いシーケンシャルに制御する。１０２はカードリーダ等の記憶媒体読み取り部であり、記憶媒体１１０が着脱可能である。記憶媒体１１０に記憶された画像データは、制御部１０１の制御によって表示部１０５に表示される。
【００１５】
ユーザが操作部１０４を操作して表示部１０５に表示された画像から印刷したい画像（以下、印刷対象画像）を選択した場合、記憶媒体１１０に記憶された画像データは、画像処理部１０８に転送され、印刷データに変換されて印刷部１０７に出力される。１０３は通信部であり、ＵＳＢ等の通信ケーブルを介して接続された画像供給装置１１１と通信を行う。
【００１６】
画像供給装置１１１は、ＰＣ（パーソナルコンピュータ）やデジタルカメラ等が想定される。通信部１０３では、画像供給装置１１１から画像データや印刷ジョブを取得し、取得したデータに基づいて印刷部１０７で印刷を行う。通信部１０３と記憶媒体読み取り部１０２は、排他的な動作を行い、いずれか一方が動作中は、他方の動作を行わない。
【００１７】
画像処理部１０８は、記憶媒体読み取り部１０２を介して記憶媒体１１０から読み取った画像データや、通信部１０３により画像供給装置１１１から取得した画像データを印刷に適した印刷データに加工して印刷部１０７に出力する。
【００１８】
印刷部１０７は、画像処理部１０８から受信した印刷データに従って印刷処理を行い複数色のインク及びオーバーコートを印刷用紙に転写させて印刷を行う。
【００１９】
１０４はユーザ操作による各種指示を入力するための操作部であり、ユーザは入力ボタンを用いて印刷対象画像の選択や印刷枚数等の印刷設定を行う。操作部１０４から入力された操作信号は制御部１０１に出力され、制御部１０１は入力された操作信号に応じて各部の制御を行う。
【００２０】
１０５は表示部であり、画像や印刷設定情報、印刷対象画像を表示する。また、印刷装置内に格納された印刷用紙の種類等を表示することも可能である。
【００２１】
ユーザは表示部１０５を見ながら、操作部１０４により印刷したい画像を選択でき、例えば印刷用紙がはがきや封筒であって、印刷完了後に印刷面が用紙の表裏の両面に配置されるように折り曲げられる折り曲げ印刷用紙の場合は、２枚の画像を選択する。
【００２２】
１０６は印刷用紙判定部で、印刷用紙保管部１０９に格納されている印刷用紙の種類を判別し、折り曲げ印刷用紙の場合は、その判別結果を制御部１０１に出力し、制御部１０１が表示部１０５に表示する。
【００２３】
図２は、本発明に係る実施形態の印刷装置の外観図である。
【００２４】
図２において、２００は印刷装置１００を構成する本体部２００である。２０１は表示部１０５を構成するＬＣＤ等の表示画面であり、画像やテキスト、印刷設定情報等の表示を行う。表示画面２０１に記憶媒体２１１に記憶された画像を表示することで、ユーザは操作部１０４により印刷対象画像の選択が可能である。また、表示画面２０１は、印刷対象画像のプレビュー画面としても利用され、印刷直前に印刷対象画像の設定を確認できる。
【００２５】
２０２〜２０６は操作部１０４を構成する操作ボタンであり、装置本体部２００の電源をＯＮ／ＯＦＦするための電源ボタンや、印刷設定、印刷対象画像の選択、印刷枚数設定等を行うためのボタンからなる。本実施形態では、２０２を電源ボタン、２０３〜２０５を印刷設定ボタン、２０６を印刷実行ボタンとする。ユーザは、表示画面２０１を見ながら、操作部２０２〜２０６のボタンを押すことにより印刷装置１００を操作する。
【００２６】
２０７は、ＰＣやデジタルカメラ等の画像供給装置１１１と印刷装置１００とを接続するためのコネクタであり、印刷装置１００は、有線若しくは無線で接続された画像供給装置１１１と通信することにより画像データや印刷ジョブを取得する。
【００２７】
２０８は、記憶媒体１１０としてのメモリカード２１１の装着や取り出しが可能なカードスロットであり、メモリカード２１１が装着されると、本体部２００に内蔵されたカードリーダがメモリカード２１１に記憶された画像データを読み出す。メモリカード２１１から読み出された画像データは画像処理部１０８へ転送されるとともに、画像処理部１０８から表示部１０５に出力されて表示画面２０１に表示される。
【００２８】
また、ユーザが操作部２０６により印刷実行操作を行った場合は、表示画面２０１に表示されている画像、若しくは選択された画像が印刷部１０７によって印刷処理される。印刷部１０７は、印刷用紙保管部１０９としての用紙カートリッジ２１０に収納された印刷用紙に対する印刷処理を実行する。
【００２９】
２０９は電源アダプタであり、家庭用コンセント等のＡＣ電源をＤＣ電源に変換して本体部２００へ供給する。
【００３０】
図３は、本発明に係る実施形態の折り曲げ印刷用紙を示す外観図であり、（ａ）は印刷面、（ｂ）は印刷完了後の印刷面、（ｃ）は印刷面の裏面の貼付面、（ｄ）及び（ｅ）は貼付面を貼り付けたときの裏側印刷面及び表側印刷面を夫々示している。
【００３１】
図３（ａ）及び（ｃ）において、印刷用紙３００を境界線３０２で２つの領域に分け、上側の区画３０１を裏面とし、下側の区画３０３を表面とし、上側区画３０１の裏側には粘着面３０５が形成されており、この粘着面３０５上に剥離紙３０４が貼着される。印刷用紙３００は、図３（ｄ）及び（ｅ）に示すように、印刷完了後に剥離紙３０４が剥離され、境界線３０２を基準線として折り曲げられて、印刷されていない面同士を貼り付けることが可能となっている。図３（ｂ）の印刷完了後の印刷面には、上側区画３０１と下側区画３０３の各画像が上下反転されて印刷されている。
【００３２】
次に、第１の実施形態の印刷装置による印刷動作について、印刷装置を図１及び図２、折り曲げ印刷用紙を図３、表示画面を図５として、図７のフローを参照しつつ説明する。また、以下の処理は、制御部１０１の制御のもとで実行される。
【００３３】
第１の実施形態では、本体部２００に用紙カートリッジ２１０及び画像データを記憶したメモリカード２１１が装着され、用紙カートリッジ２１０に印刷用紙３００が収納されていると判別されると、メモリカード２１１に記憶された画像データを読み出す。そして、図５（ａ）に示すように、表示画面２０１に印刷用紙３００用の印刷設定画面を操作可能に表示する。
【００３４】
更に、ユーザが、図５（ｂ）に示すように、表示画面２０１の画像５０１と印刷用紙３００の画像５０２を見ながら本体部２００の操作ボタン２０３〜２０５及び表示画面に表示された操作ボタン５０３〜５０５を操作する。これにより、印刷用紙３００の表面と裏面に印刷する画像が選択される。
【００３５】
そして、図５（ｃ）に示すように、ユーザが設定した印刷条件で印刷を行った場合の印刷イメージ５０６及び操作ボタン５０４，５０７が表示画面２０１に表示される。
【００３６】
具体的には、図７において、Ｓ７０１でユーザが本体部２００の電源ボタン２０２をＯＮすると、Ｓ７０２では、本体部２００に用紙カートリッジ２１０が装着されているか判定する。Ｓ７０２での判定の結果、用紙カートリッジ２１０が装着されていない場合は、表示画面２０１に用紙カートリッジ２１０が未装着であることを表すエラーメッセージ等を表示し、ユーザに用紙カートリッジ２１０の装着を促す。
【００３７】
Ｓ７０３では、本体部２００に画像データを記憶したメモリカード２１１が装着されているか判定する。Ｓ７０３での判定の結果、メモリカード２１１が装着されている場合は、Ｓ７０４でメモリカード２１１から読み出した画像５０１を表示画面２０１に表示する。
【００３８】
Ｓ７０５では、印刷用紙判別部１０６が用紙カートリッジ２１０に折り曲げ印刷用紙３００が格納されているか判定する。Ｓ７０５での判定の結果、折り曲げ印刷用紙３００である場合は、表示画面２０１に、図５（ａ）に示す印刷用紙３００を表す画像５０２を表示する。
【００３９】
以下、折り曲げ印刷用紙３００を格納している用紙カートリッジ２１０が装着された状態を想定して説明を続ける。
【００４０】
Ｓ７０６では、ユーザは本体部２００の操作ボタン２０３〜２０５及び表示画面２０１に表示された操作ボタン５０３〜５０５と画像５０１，５０２を見ながら表面に印刷する画像を選択する。同様に、Ｓ７０７では、裏面に印刷する画像を選択する。
【００４１】
Ｓ７０８では、画像処理部１０８がＳ７０６及びＳ７０７で選択された画像から画像データを生成し、ユーザが設定した印刷条件で印刷を行った場合の印刷イメージ５０６及び操作ボタン５０４，５０７が表示画面２０１に表示される。ここで、ユーザが表示画面２０１の印刷ボタン５０７をＯＮすると、Ｓ７０９で、画像処理部１０８が表面印刷用画像と裏面印刷用画像の各画像データから折り曲げ印刷用紙３００に適合する印刷データを生成する。即ち、画像処理部１０８は、印刷用紙３００の上側区画３０１には裏面印刷用画像を上下１８０度回転して配置し、下側区画３０３には表面印刷用画像をそのまま配置するように画像データを加工する。
【００４２】
最後に、Ｓ７１３では、印刷部１０７がＳ７０９で生成された印刷データに従い印刷用紙３００に印刷を行う。
【００４３】
なお、Ｓ７０５で用紙カートリッジ２１０に折り曲げ印刷用紙３００が格納されていない場合は、Ｓ７１１で表示部１０５に他の印刷用紙に適した印刷設定画面を表示し、ユーザは操作部と表示画面から印刷する画像を選択する。
【００４４】
Ｓ７１２では、ユーザが印刷ボタンをＯＮすることで、画像処理部１０８が印刷用画像データから現在の印刷用紙に適した印刷データを生成し、Ｓ７１３で印刷部１０７が印刷を行う。
【００４５】
［第２の実施形態］
次に、第２の実施形態の印刷装置による印刷動作について、印刷装置を図１及び図２、折り曲げ印刷用紙を図４、表示画面を図６として、図８のフローを参照しつつ説明する。また、以下の処理は、制御部１０１の制御のもとで実行される。
【００４６】
図４は、本実施形態の折り曲げ印刷用のはがきサイズ印刷用紙を示す外観図であり、（ａ）は印刷面、（ｂ）は印刷完了後の印刷面、（ｃ）は印刷面の裏面の貼付面、（ｄ）及び（ｅ）は貼付面を貼り付けたときの裏側印刷面及び表側印刷面を夫々示している。
【００４７】
図４（ａ）及び（ｃ）において、印刷用紙４００を境界線４０２で２つの領域に分け、上側の区画４０１を裏面とし、下側の区画４０３を表面とし、上側区画４０１の裏側には粘着面４０５が形成されており、この粘着面４０５上に剥離紙４０４が貼着される。印刷用紙４００は、図４（ｄ）及び（ｅ）に示すように、印刷完了後に剥離紙４０４が剥離され、境界線４０２を基準線として折り曲げられて、印刷されていない面同士を貼り付けることが可能となっている。図４（ｂ）の印刷完了後の印刷面には、上側区画４０１の住所等と下側区画４０３の画像が上下反転されて印刷されている。また、図４（ａ）及び（ｂ）の４０６は切手が貼られる領域として予め用意されている。
【００４８】
第２の実施形態では、本体部２００に用紙カートリッジ２１０及び画像データを記憶したメモリカード２１１が装着され、用紙カートリッジ２１０にはがきサイズの印刷用紙４００があると判別されると、メモリカード２１１に記憶された画像データを読み出す。そして、図６（ａ）に示すように、表示画面２０１に印刷用紙４００用の印刷設定画面を表示する。
【００４９】
ここで、ユーザが、図６（ａ）に示すように、表示画面２０１の画像６０１と印刷用紙４００の画像６０２を見ながら本体部２００の操作ボタン２０３〜２０５及び表示画面に表示された操作ボタン６０３〜６０５を操作する。これにより、印刷用紙４００の表面に印刷する画像が選択される。同様に、ユーザが、図６（ｂ）に示すように、表示画面２０１の住所６０６と印刷用紙４００の画像６０２を見ながら操作ボタンを操作することで、印刷用紙４００の裏面に印刷する住所が選択される。
【００５０】
そして、図６（ｃ）に示すように、ユーザが設定した印刷条件で印刷を行った場合の印刷イメージ６０７、住所のテキストデータ６０８及び操作ボタン６０４，６０９が表示画面２０１に表示される。
【００５１】
図８において、Ｓ８０１〜Ｓ８０４、Ｓ８１１、Ｓ８１２は、図７のＳ７０１〜Ｓ７０４、Ｓ７１１、Ｓ７１２の各処理と同様である。
【００５２】
Ｓ８０５では、印刷用紙判別部１０６が用紙カートリッジ２１０に、はがきサイズの印刷用紙４００が格納されているか判定する。Ｓ８０５での判定の結果、はがきサイズの印刷用紙４００である場合は、表示画面２０１に、図５（ａ）に示す印刷用紙４００を表す画像６０２を表示する。
【００５３】
以下、はがきサイズの印刷用紙４００を格納している用紙カートリッジ２１０が装着された状態を想定して説明を続ける。
【００５４】
Ｓ８０６では、ユーザは本体部２００の操作ボタン２０３〜２０５及び表示画面２０１に表示された操作ボタン６０３〜６０５と画像６０１を見ながら表面に印刷する画像を選択する。同様に、Ｓ８０７では、裏面に印刷する住所を選択する。
【００５５】
Ｓ８０８では、画像処理部１０８がＳ８０６及びＳ８０７で選択された画像及び住所から画像データを生成する。そして、ユーザが設定した印刷条件で印刷を行った場合の印刷イメージ６０７、住所のテキストデータ６０８及び操作ボタン６０４，６０９が表示画面２０１に表示される。なお、住所のテキストデータ６０８は、画像処理部１０８が保持しているフォントに変換されて表示される。
【００５６】
ここで、ユーザが表示画面２０１の印刷ボタン６０９をＯＮすると、Ｓ８０９で、画像処理部１０８が表面印刷用画像と裏面印刷用住所の各データからはがきサイズの印刷用紙４００に適合する印刷データを生成する。即ち、画像処理部１０８は、印刷用紙４００の上側区画４０１には裏面印刷用住所を上下１８０度回転して配置し、下側区画４０３には表面印刷用画像をそのまま配置するように画像データを加工する。
【００５７】
最後に、Ｓ８１３では、印刷部１０７がＳ８０９で生成された印刷データに従い印刷用紙４００に印刷を行う。このとき切手領域４０６には、もちろんイエロー、マゼンダ、シアンインクの転写は行わず、さらにオーバーコートの転写も行わない。オーバーコートを転写すると、印刷用紙に切手を貼れなくなったり、貼れたとしてもはがれやすくなったりしてしまう恐れがある。そのため、切手領域４０６には、オーバーコートの転写を行わないようにする。また、予め印刷用紙の切手領域部分を切手が貼りやすく剥がれにくくなるように加工しておいても良い。また、切手を複数枚貼る場合もあるので、オーバーコートを転写させない領域（切手領域）をユーザが選択できるようにしても良い。オーバーコートを転写しない領域を選択可能にする場合は、複数の選択肢から選択するようにしても良いし、印刷領域の中から任意の領域を選択可能なようにしても良い。オーバーコートを転写しない領域が選択された場合は、印刷部１０７は選択された領域にはオーバーコートを転写させないように印刷を実行する。
【００５８】
尚、本発明の目的は、前述した実施形態の機能を実現するソフトウェアのプログラムコードを格納した記憶媒体（又は記録媒体）をカメラに供給ことによっても達成されることは言うまでもない。この場合、カメラのコンピュータ（又はCPUやMPU）が記憶媒体からプログラムコードを読み出して実行することによって達成される。
【００５９】
本発明を上記記憶媒体に適用する場合、その記憶媒体には、先に説明した図７、図８の各フローチャートの処理を実行する制御プログラムや各種テーブルが格納されることになる。これらのプログラムコードは、例えば、アップデート可能なファームウェアとしても提供可能である。
【図面の簡単な説明】
【００６０】
【図１】本発明に係る実施形態の印刷装置の構成を示すブロック図である。
【図２】本発明に係る実施形態の印刷装置の外観図である。
【図３】本発明に係る実施形態の折り曲げ印刷用紙の外観図である。
【図４】本実施形態の折り曲げ印刷用のはがきサイズの印刷用紙の外観図である。
【図５】第１の実施形態による印刷設定画面を例示する図である。
【図６】第２の実施形態による印刷設定画面を例示する図である。
【図７】第１の実施形態の印刷装置による印刷動作を示すフローチャートである。
【図８】第２の実施形態の印刷装置による印刷動作を示すフローチャートである。
【符号の説明】
【００６１】
１００  印刷装置
１０１  制御部
１０２  記憶媒体読み取り部
１０３  通信部
１０４  操作部
１０５  表示部
１０６  印刷用紙判別部
１０７  印刷部
１０８  画像処理部
１０９  印刷用紙保管部
１１０  記憶媒体
１１１  画像供給装置
２００  本体部
２０１  表示画面
２０２〜２０６  操作部
２０７  コネクタ
２０８  カードスロット
２０９  電源アダプタ
２１０  用紙カートリッジ
２１１  メモリカード
３００  折り曲げ印刷用の印刷用紙
４００  はがきサイズの印刷用紙
【図１】
2009220307.tif 000003
【図２】
2009220307.tif 000004
【図３】
2009220307.tif 000005
【図４】
2009220307.tif 000006
【図５】
2009220307.tif 000007
【図６】
2009220307.tif 000008
【図７】
2009220307.tif 000009
【図８】
2009220307.tif 000010